(57)【特許請求の範囲】
【請求項１】
ガスボンベに脱着可能にしたバルブ本体と、減圧部とユニット本体とから成っていて前記バルブ本体に取り付けられる流量調整ユニットと、前記バルブ本体の突出する充填口内に設置される逆止弁を備えていて前記バルブ本体に取り付けられる充填専用ポートとから成るバルブ装置であって、
前記流量調整ユニットの減圧部は、前記バルブ本体に形成されるガス供出室内に配置されるハウジングと、前記ハウジングのシリンダー部内に摺動可能に嵌挿されるピストンとから成っていて、前記ハウジングにはその内部のガス流入室と前記ガス供出室とを連通するハウジング内ガス通路が形成されると共に、前記ピストンの軸部には、前記ガス流入室を介して前記ハウジング内ガス通路と前記シリンダー部とを連通するピストン内ガス通路が形成され、
前記流量調整ユニットのユニット本体は、流量調整機構と、ノズル継手と、前記ユニット本体をその先端部が前記ハウジングのシリンダー部内に臨んだ状態にて前記バルブ本体に固定するための手段を備えており、
前記充填専用ポートの逆止弁は、前記充填口の開口側に開口する供給路を有していて前記充填口内にネジ込まれる逆止弁本体と、前記逆止弁本体内に配備されて、その内外の圧力差により内外いずれかの方向に移動して前記供給路を開閉する弁体とから成る
ことを特徴とする医療用バルブ装置。
【請求項２】
前記バルブ本体におけるガスボンベからのガス流入路と前記ガス供出室との間に、前記ガス供出室へのガス供給を遮断する元栓を設置した請求項１に記載の医療用バルブ装置。
【請求項３】
ガスボンベに脱着可能にしたバルブ本体と、第１減圧弁を有していて前記バルブ本体の弁箱に取り付けられる前段減圧部と、後段減圧部とユニット本体とから成っていて前記バルブ本体に取り付けられる流量調整ユニットと、前記バルブ本体の突出する充填口内に設置される逆止弁を備えていて前記バルブ本体に取り付けられる充填専用ポートとから成るバルブ装置であって、
前記前段減圧部は、前記バルブ本体に形成される第１ガス供出室内に配置される第１ハウジングと、前記第１ハウジングのシリンダー部内に摺動可能に嵌挿される第１ピストンとから成っていて、前記第１ハウジングにはその内部のガス流入室と前記第１ガス供出室とを連通するハウジング内ガス通路が形成されると共に、前記第１ピストンの軸部には、前記ガス流入室を介して前記ハウジング内ガス通路と前記シリンダー部とを連通するピストン内ガス通路が形成され、
前記流量調整ユニットの後段減圧部は、前記バルブ本体に形成される第２ガス供出室内に配置される第２ハウジングと、前記第２ハウジングのシリンダー部内に摺動可能に嵌挿される第２ピストンとから成っていて、前記第２ハウジングにはその内部のガス流入室と前記第２ガス供出室とを連通するハウジング内ガス通路が形成されると共に、前記第２ピストンの軸部には、前記ガス流入室を介して前記ハウジング内ガス通路と前記シリンダー部とを連通するピストン内ガス通路が形成され、
前記流量調整ユニットのユニット本体は、流量調整機構とノズル継手と、前記ユニット本体をその先端部が前記第２ハウジングのシリンダー部内に臨んだ状態にて前記バルブ本体に固定するための手段を備えており、
前記充填専用ポートの逆止弁は、前記充填口の開口側に開口する供給路を有していて前記充填口内にネジ込まれる逆止弁本体と、前記逆止弁本体内に配備されて、その内外の圧力差により内外いずれかの方向に移動して前記供給路を開閉する弁体とから成る
ことを特徴とする医療用バルブ装置。
【請求項４】
前記弁箱に固定されて前記前段減圧部のキャップを構成する減圧弁取付ナットの後端面に開口を形成し、前記開口内に進退可能に閉栓ピ−スを挿入し、前記閉栓ピ−スの前進時にその頭部が前記第１ピストンを押圧し、以て前記第１ピストンの先端部において前記第１ハウジング内へのガス流入を遮断可能にした機構を含む請求項３に記載の医療用バルブ装置。
【請求項５】
前記バルブ本体にガス残量計及び／又は圧力計を設置した請求項１乃至４のいずれかに記載の医療用バルブ装置。
【請求項６】
前記流量調整機構が、先端に複数のサイズの異なる計量孔を透設した流量調整板を備えたハンドルのスピンドルを前記ユニット本体に回転可能に挿通すると共に、前記ユニット本体に、前記流量調整板の回転に伴っていずれかの計量孔と連通するガス通路を穿設したものである請求項１乃至５のいずれかに記載の医療用バルブ装置。
【請求項７】
前記流量調整板にガス通路を遮断する部分を設けた請求項６に記載の医療用バルブ装置。
【請求項８】
前記流量調整板のガス通路を遮断する部分が前記ガス通路に対面した際にハンドルのスピンドルの回転を軽く停止させる手段を備えた請求項６に記載の医療用バルブ装置。
【請求項９】
前記流量調整機構が、ユニット本体の減圧弁側端面に、前記ノズル継手に連通するガス通路に連通させて、流入量を一定にするための計量孔を１つ形成した固定オリフィスを配置したものである請求項１乃至５のいずれかに記載の医療用バルブ装置。
【発明の詳細な説明】
【０００１】
【発明の属する技術分野】
本発明は、在宅酸素療法や補助呼吸などにおいて用いられる携帯用酸素ボンベシステムに取り付けられ、圧縮充填された酸素を減圧して所定量供出するための医療用バルブ装置に関するものである。
【０００２】
【従来の技術】
年々、着実に増加している在宅酸素療法は、受療中の慢性呼吸不全患者のなかでも病状が安定し、酸素吸入のみを維持すれば退院が可能である患者に適用され、引き続き家庭において酸素投与を行うことによって、一般の人と変わらない家庭生活や、社会への復帰を可能にする方法である。肺気腫症や慢性気管支炎などの慢性閉塞性肺疾患（ＣＯＰＤ）をはじめ、肺結核後遺症、間質性肺疾患、肺癌など在宅酸素療法を実施している人は現在では３万人を越えると言われている。
【０００３】
上記在宅酸素療法においては、小型の携帯可能な酸素ガス（以下単に「ガス」という）ボンベに、高圧ガスを減圧して所定量供出するためのバルブ装置が取り付けられる。この従来のバルブ装置における容器弁は流量調整機能を備えていないため、別体の流量調整器を取り付けて用いることになるが、その脱着、殊にガス充填に際しての脱着作業が煩わしく、使用者に大きな負担となっていた。
【０００４】
【発明が解決しようとする課題】
上述したように従来の医療用バルブ装置は操作が煩わしく、正しく使用するために患者に多くの負担がかかっていた。
そこで本発明は、操作が簡単で、慣れない患者であっても正しく安全に使用することができる医療用バルブ装置を提供することを課題とする。
【０００５】
【課題を解決するための手段】
本発明は、ガスボンベに脱着可能にしたバルブ本体と、減圧部とユニット本体とから成っていて前記バルブ本体に取り付けられる流量調整ユニットと、前記バルブ本体の突出する充填口内に設置される逆止弁を備えていて前記バルブ本体に取り付けられる充填専用ポートとから成るバルブ装置であって、前記流量調整ユニットの減圧部は、前記バルブ本体に形成されるガス供出室内に配置されるハウジングと、前記ハウジングのシリンダー部内に摺動可能に嵌挿されるピストンとから成っていて、前記ハウジングにはその内部のガス流入室と前記ガス供出室とを連通するハウジング内ガス通路が形成されると共に、前記ピストンの軸部には、前記ガス流入室を介して前記ハウジング内ガス通路と前記シリンダー部とを連通するピストン内ガス通路が形成され、前記流量調整ユニットのユニット本体は、流量調整機構と、ノズル継手と、前記ユニット本体をその先端部が前記ハウジングのシリンダー部内に臨んだ状態にて前記バルブ本体に固定するための手段を備えており、前記充填専用ポートの逆止弁は、前記充填口の開口側に開口する供給路を有していて前記充填口内にネジ込まれる逆止弁本体と、前記逆止弁本体内に配備されて、その内外の圧力差により内外いずれかの方向に移動して前記供給路を開閉する弁体とから成ることを特徴とする医療用バルブ装置に関するものである。
【０００６】
本発明は、また、ガスボンベに脱着可能にしたバルブ本体と、第１減圧弁を有していて前記バルブ本体の弁箱に取り付けられる前段減圧部と、後段減圧部とユニット本体とから成っていて前記バルブ本体に取り付けられる流量調整ユニットと、前記バルブ本体の突出する充填口内に設置される逆止弁を備えていて前記バルブ本体に取り付けられる充填専用ポートとから成るバルブ装置であって、前記前段減圧部は、前記バルブ本体に形成される第１ガス供出室内に配置される第１ハウジングと、前記第１ハウジングのシリンダー部内に摺動可能に嵌挿される第１ピストンとから成っていて、前記第１ハウジングにはその内部のガス流入室と前記第１ガス供出室とを連通するハウジング内ガス通路が形成されると共に、前記第１ピストンの軸部には、前記ガス流入室を介して前記ハウジング内ガス通路と前記シリンダー部とを連通するピストン内ガス通路が形成され、前記流量調整ユニットの後段減圧部は、前記バルブ本体に形成される第２ガス供出室内に配置される第２ハウジングと、前記第２ハウジングのシリンダー部内に摺動可能に嵌挿される第２ピストンとから成っていて、前記第２ハウジングにはその内部のガス流入室と前記第２ガス供出室とを連通するハウジング内ガス通路が形成されると共に、前記第２ピストンの軸部には、前記ガス流入室を介して前記ハウジング内ガス通路と前記シリンダー部とを連通するピストン内ガス通路が形成され、前記流量調整ユニットのユニット本体は、流量調整機構とノズル継手と、前記ユニット本体をその先端部が前記第２ハウジングのシリンダー部内に臨んだ状態にて前記バルブ本体に固定するための手段を備えており、前記充填専用ポートの逆止弁は、前記充填口の開口側に開口する供給路を有していて前記充填口内にネジ込まれる逆止弁本体と、前記逆止弁本体内に配備されて、その内外の圧力差により内外いずれかの方向に移動して前記供給路を開閉する弁体とから成ることを特徴とする医療用バルブ装置、を以て上記課題を解決した。
【０００７】
【発明の実施の形態】
本発明の好ましい実施の形態を添付図面を参照しつつ説明する。本発明に係るバルブ装置は、バルブ本体１と流量調整ユニット２と充填専用ポ−ト３とから成り、更にガス残量計４あるいは圧力計を備えていて、バルブ本体１のオネジ管５をガスボンベにネジ込むことによりガスボンベに取り付けられる。
【０００８】
図１乃至図６に示す実施形態におけるバルブ本体１は、更に、ハンドル８の操作によって、バルブ本体１のガスボンベに通じるガス流入路１８を開閉する元栓（メインバルブ）の構成を有するもので、バルブ本体１は、この元栓の構造のために（理由後述）、軽量のアルミ合金製とすることができる。先ず、元栓の構成から説明するに、バルブ本体１の弁箱７には、グランドナット９を介してハンドル８が取り付けられる。即ち、グランドナット９は、外周面にオネジを、また、内周面にメネジを刻設したネジ筒部を有し、且つ、中心にスピンドル挿通孔１０を備えており、そのオネジ部が弁箱端部のメネジ付き開口部にねじ込まれることによりグランドナット９が弁箱７に固定される。
【０００９】
スピンドル挿通孔１０には、一端が外方に延びてハンドル８に回転不可状態に固定され、他端がグランドナット９のメネジ部内に臨むスピンドル１１が、摺動可能に挿通される。スピンドル１１の上記メネジ部内に臨む部分は拡径化され、その拡径部１１ａの外周面にそのメネジ部に螺合するオネジが刻設される。従って、ハンドル８を回転させると、スピンドル１１はハンドル８と一体となって回転し（その際グランドナット９は回転しない。）、且つ、図２において左右方向に移動することが容易に理解されよう。
【００１０】
このハンドル８の回転によるガス流路の開閉操作は、ハンドル８の２分の１回転以下の少ない回転角度にて行ない得るように設定できる。ハンドル８には、グランドナット９の外周をカバ−するスカ−ト１２が形成されるので、そこに「開」、「閉」の文字を表示しておけば、開栓状態か閉栓状態かが一目で分かり、使用者にとって便利である。上記のようにハンドル８の回転角度は１８０度以下であるので、「開」、「閉」の文字はスカ−ト１２の上半部に表現でき、見やすい状態となる。
【００１１】
弁箱７内には、中心部においてプッシュロッド１３を、図２において左右方向に摺動可能に支持するプッシュロッドガイド１４が嵌合される。また、弁箱７内のプッシュロッドガイド１４嵌合部の奥に位置するガス流量制御室１５内に、前面にシ−トを有する弁体１６が配備される。弁体１６には、常時弁体１６をガス流入路１８及びガス流出路１９側に押圧するよう作用するスプリング１７が纏装される。
【００１２】
図２は、ガス流入路１８及びガス流出路１９が共に閉塞された状態を示している。その状態からハンドル８を回すと、ハンドル８とスピンドル１１は図２において右方向に移動する。するとガス流入路１８を通して弁体１６のシ−トに内圧が加わり、その結果、スピンドル１１が移動した分弁体１６がスプリング１７に抗して移動することによりガス流出路１９が開き、ガスボンベから供給される酸素ガスはガス流入路１８、ガス流量制御室１５を経てガス流出路１９へと通流する。
【００１３】
ガス流量制御室１５内にはネジ構造部が全くないので摩耗粉が出ることはなく、衛生的であるだけでなく、高圧ガス流動に伴う断熱圧縮熱によって摩耗粉が発熱発火する危険がない。また、開弁時に内圧により弁体１６が移動するが、弁体１６は常時スプリング１７に押されているため、開弁時にガス流量制御室１５内において急激な圧力上昇が起こらず、急激な昇温も起こらない。従って、バルブ本体１を軽量のアルミ合金製とすることが可能となった。
【００１４】
流量調整ユニット２は、バルブ本体１にガス流出路１９と連通させて形成されたガス供出室２０内に配備される減圧弁２１とその外側に位置するユニット本体２２から成る。図４は減圧弁２１の構成を詳細に示すもので、そのハウジング２３はシリンダ−部２４を有し、そこにピストン２５が摺動自在に嵌挿される。ピストン２５はガス通路２６を穿設した軸部２７を有し、軸部２７の先端はハウジング２３の突出部２８のガス流入室２９にまで達し得るようになっている。
【００１５】
軸部２７にはスプリング３０が纒装されている。スプリング３０の一端部はピストン２５に固定され、その他端部はハウジング２３内に設置されたスプリング受座３１に固定される。突出部２８の端面中央部には凹陥部３２が形成され、凹陥部３２からガス流入室２９に抜けるガス通路３３が穿設される。凹陥部３２にはフィルタ−３４が配設される。ガス通路３３は、軸部２７の先端に配備されたシ−ト３５が密着することにより閉塞される。スプリング３０はピストン２５を押し戻して常にガス通路３３が開放されるよう作用する。ガス通路３３とガス流入室２９とは連通しており、この減圧弁２１を経ることにより一次減圧された圧縮酸素がガス通路２６に供給される。
【００１６】
ガスボンベ内の酸素ガス圧力（元圧）は普通１５０乃至２００ｋｇｆ／ｃｍ2 であるが、この減圧弁２１によって通例 1.4ｋｇｆ／ｃｍ2 に減圧される。しかし、酸素消費に伴って元圧が下がってくると、減圧ガス圧も 1.1乃至1.2 ｋｇｆ／ｃｍ2 に下がってしまい、患者に対し安定したガス供給ができなくなる。かかる事態を回避するためには、ガス供出室２０を若干長尺化し、減圧弁２１を２段に配置し、あるいは後記実施形態のように元栓に替えて減圧弁を配置して減圧弁を二段にすることが有効である。その場合は、先ず一段目の減圧弁によって５乃至７ｋｇｆ／ｃｍ2 に１次減圧され、次いで２段目の減圧弁によって所定の 1.4ｋｇｆ／ｃｍ2 に２次減圧することができる。この場合元圧の変化によって１次減圧分に影響が出るが、２次減圧分には影響がなく、安定供給が可能となる。
【００１７】
図５は流量調整用のユニット本体２２の構成例を詳細に示すもので、ユニット本体２２の先端部はハウジング２３内に臨み、ピストン２５に当接する。ユニット本体２２は鍔３７を有しており、そこに袋ナット３８が被せられ、袋ナット３８をバルブ本体１の開口部外周に形成したオネジ部にネジ付けることにより、鍔３７が袋ナット３８の内面とバルブ本体１の開口部端縁との間に挾み付けられ、以てユニット本体２２がバルブ本体１に固定される。
【００１８】
４１はスピンドル４２を有するハンドルで、スピンドル４２はユニット本体２２に回転可能に挿通される。スピンドル４２の先端には流量調整板４３が設置されている。流量調整板４３には、それぞれサイズの異なる計量孔（オリフィス）４４を等角度置き（図では４５度置き）に透設するが、一個所は開口しないこととすることが好ましい。各計量孔４４は、流量調整板４３を回転させるに伴い、それぞれユニット本体２２に穿設したガス通路４５に連通するようになっている。ユニット本体２２には、このガス通路４５に連通するようにしてノズル継手４６がネジ付けられる。
【００１９】
ハンドル４１はユニット本体２２の端部に被さるスカ−ト４７を有し、その内側に溝４８を設けてある。溝４８は計量孔４４の位置決め用であり、ユニット本体２２に溝４８に係合する位置決めボ−ル４９が設置される。スカ−ト４７の外周面には流量を指示する目盛が表示され（図１参照）、この目盛を指示線に合わせた際に位置決めボ−ル４９が溝４８に係合し、その回転位置を維持する。その回転位置において選択された流量に対応する計量孔４４がガス通路４５に合致して連通し、ピストン２５のガス通路２６から流量調整板４３の前に確保されるスペ−ス５０内に流入しているガスをガス通路４５に導く。
【００２０】
少し力を入れてハンドル４１を回すことにより位置決めボ−ル４９が溝４８から脱し、その後はハンドル４１は軽く回すことができる。流量目盛を０にした場合は、流量調整板４３の計量孔４４を形成してない部分がガス通路４５を閉塞するため、ガスは流れない。ハンドル４１をこの位置に容易に設定するために、後記実施形態において説明するゼロストッパ−機構を採用することが好ましい。
【００２１】
なお、５１はスピンドル４２に纒装したスプリングで、常時流量調整板４３をユニット本体２２、換言すれば、ガス通路４５の入口に密着させるよう作用する。また、５２はストッパ−ピンで、ユニット本体２２からハンドル４１に向けて突設される。ストッパ−ピン５２の先端はハンドル４１に形成された環状溝５３に係合し、環状溝端部のストッパ−５４に当たることによりハンドル４１の回転端を規制する。ノズル継手４６には、適宜酸素供給調節器を介して鼻カニュ−ラが接続される。
【００２２】
流量調整ユニット２における流量調整機構は上記のものに限らず、例えば、弁の開度を調節して流量抵抗を加減し、ガスの流量制御を行う絞り弁（主にニ−ドル弁）や、逆止弁と絞り弁を並列に一体構造とした速度制御弁の機構を採用することもできるし、流量を固定した固定オリフィスを用いることもできる。
【００２３】
続いて図３を参照しつつ、充填専用ポ−ト３の構成を説明する。充填専用ポ−ト３は、バルブ本体１の一部を突出させた充填口５６内に逆止弁ユニットをネジ込んで成る。５７は逆止弁本体で、内部に内外の圧力差によって移動する弁体５８を有する。弁体５８は常時スプリング５９によって押されることにより、逆止弁本体５７の供給路６０を閉塞する。６１はキャップであり、６２は安全弁プラグ、６３は主通路である。
【００２４】
酸素の充填に際してはキャップ６１を外し、ガスタンクの供給口を充填口５６に接続して酸素ガスを供給する。供給開始時は供給側の圧力が高いために、弁体５８はスプリング５９のバネ圧に抗して内側に押し込まれ、供給路６０が開く。それにより酸素ガスは、主通路６３を通ってガスボンベに流入する。やがて充填が完了すると、内圧が高まって弁体５８が押し戻され、供給路６０が塞がれる。ガス充填操作はこのように行われるので、何らのハンドル開閉操作も要しない。
【００２５】
ガス残量計４又は圧力計は、最も見やすいバルブ本体１の上面に配置され、保護カバ−６４に囲まれて保護される。ガス残量計４は、ガスボンベ内の圧力からボンベの残り使用時間を算出して表示するもので、例えば、ガスボンベ内のガスの圧力を計測する圧力計測手段と、ガスボンベから外部に供給されるガスの消費流量の設定値を記憶する流量設定値記憶手段と、ガスボンベの容量の設定値を記憶する容量設定値記憶手段と、流量設定値記憶手段に記憶されたガスの消費流量の設定値および容量設定値記憶手段に記憶されたボンベ容量の設定値を用いて圧力計測手段により計測されたガスボンベ内のガスの残圧からガスボンベの残り使用時間を算出する残り使用時間算出手段と、この残り使用時間算出手段により算出された残り使用時間を表示する残り使用時間表示手段とから成る。
【００２６】
図７に示す実施形態は、上記実施形態における元栓の構成を省略し、流量調整ユニット２の構成と、充填専用ポ−ト３の構成のみ備えたもので、流量調整ユニット２自体及び充填専用ポ−ト３自体の構成は上記実施形態に準ずる（両実施形態において共通の符号は同一部分を指している）。但し、流量調整ユニット２と充填専用ポ−ト３は、上記実施形態ではバルブ本体１に対し直角方向に配置されているが、この実施形態では一直線状に配置されている。
【００２７】
この実施形態では、流量調整板４３が元栓の機能を果たす。即ち、ハンドル４１を操作して流量０に設定すると、流量調整板４３の総ての計量孔４４がガス通路４５から外れてガス通路４５が閉塞され、ノズル継手４６へのガス通流が断たれる。
【００２８】
図８及び図９に示す実施形態は、上記第１の実施形態における元栓（メインバルブ）の部分を前段減圧部に替えることにより、減圧機構を二段にしたものである（減圧弁２１の部分が後段減圧部となる。）。図８及び図９において図１乃至図７における符号と同一の符号を付した部分は、同一部分（共通の構成）を示しているので詳細な説明を省略する。
【００２９】
図中７０は弁箱７のガス流出路１９に連通するガス供出室７１内に嵌装されたハウジングで、その先端面中央部にガス流入路１８に通じる凹陥部７２が形成され、凹陥部７２内にフィルタ−７３が設置される。７４は、ハウジング７０の先端面に嵌着されてガス供出室７１の壁面に圧接されるＯリングである。また、ハウジング７０には、その内側のガス流入室７５とガス供出室７１を結ぶガス流路７６が形成される。
【００３０】
ガス流入室７５の後方（図８において右方）にはハウジング後端面に開口するシリンダ−室７７が形成され、シリンダ−室７７内にピストン７８が摺動可能に嵌装される。ピストン７８はガス通路７９を穿設した軸部８０を有し、軸部８０の先端部はガス流入室７５内に臨む。軸部８０にはスプリング８１が纒装される。スプリング８１の一端部はピストン７８に固定され、その他端部は、軸部８０を取り囲むようにハウジング７０内に設置された受座８２に固定される。このスプリング８１は受座８２を介して常時Ｏリング８３を押圧し、ガス流入室７５とシリンダ−室７７との間をシ−ルする。８５はシリンダ−室７７の開口部に嵌合されたピストン押えで、シリンダ−室７７の開口部端縁に当接するフランジを有する。
【００３１】
８６は前段減圧部のキャップである減圧弁取付ナットで、前部に弁箱７の外周に刻設したオネジ部に螺着するためのメネジ部８６ａを有する。減圧弁取付ナット８６の後端面は閉塞したものであってもよいが（後述する図10における減圧弁取付ナット105 参照）、図８に示した例ではそこが開口され、そこに、ガス流入室７５内に過剰圧（例えば１５ｋｇｆ／ｃｍ2 超）のガスが供給された場合にそこを閉塞するための安全機構として機能する閉栓ピ−ス８７が設置される。
【００３２】
閉栓ピ−ス８７は中間部が張り出し、その周面に、減圧弁取付ナット８６の後端面側開口部の内周面に刻設されたメネジに螺合するオネジ８８が刻設される。また、閉栓ピ−ス８７の頭部はピストン押え８５の中央孔８９内に摺動可能に嵌挿され、その減圧弁取付ナット８６の後端開口部に露出する後端面にはドライバ−、コイン等が嵌合する凹溝８７ａが形成される。この凹溝８７ａにドライバ−、コイン等を嵌合して回すことにより、閉栓ピ−ス８７ａを螺進又は螺退させることができる。９０は閉栓ピ−ス８７の抜止めピンである。
【００３３】
閉栓ピ−ス８７の作用を説明すると、１次減圧時においてガス流入路１８から供給されるガス圧が異常圧（例えば１５ｋｇｆ／ｃｍ2 超）となった場合は、ガス流入室７５とシリンダ−室７７間をシ−ルしているＯリング８３が押され、それに伴って受座８２がスプリング８１のバネ圧に抗して押し戻される結果、Ｏリング８３によるシ−ルが解除され、ガスがシリンダ−室７７内を通って外部に漏出する。
【００３４】
そこで閉栓ピ−ス８７を回して前進させると、ピストン７８がスプリング８１のバネ圧に抗して図８において左方に押され、その先端のシ−ト７８ａが凹陥部７２のガス流入室７５側出口に密着してそこを閉塞する。かくしてガス流入室７５内へのガスの流入が阻止される。また、閉栓ピ−ス８７は、ガスが消費されていないときにガス流入室７５を閉塞するために用いることもできる（元栓の役目）。
【００３５】
図８に示す実施形態においては、流量調整板４３のゼロストッパ−機構、即ち、スピンドル４２を流量調整板４３の非開口部によりガス通路４５を閉じる位置に容易且つ確実に位置させるための機構を備える。その機構は、例えばユニット本体２２に穿孔９１を形成してそこに挿入されるボ−ル９２と、ボ−ル９２の一部が嵌入するスピンドル４２の周面に形成される座ぐり９３とで構成される。
【００３６】
ボ−ル９２は穿孔９１内に嵌装されたスプリング９４により、常時スピンドル４２の周面に押し付けられた状態にあり、スピンドル４２が回転して座ぐり９３が到来するとそこに一部が収まる。その位置において、流量調整板４３の非開口部がガス通路４５に対面するように設定する。９５はスプリング９４を押さえ止める栓である。この構成は前述の実施形態においても採用できる。
【００３７】
なお、図８と図９とではゼロストッパ−機構の設置位置が異なっているが（図８ではそれがノズル継手４６と一直線上にあるが、図９ではそれがノズル継手４６に対し直角方向）、それは機構の理解を容易にするために便宜上そのように図示したものである。ゼロストッパ−機構はユニット本体２２の任意の位置に設置可能で、図示した位置に限られる訳ではない。
【００３８】
続いて図１０に示す実施形態について説明する。そこにおいて図１乃至図９におけると同一の符号を付した部分は、同一（共通）の構成を示しているので詳細な説明を省略する。図１０に示す実施形態は、図８に示すもの同様に減圧弁を二段に配置したものであるが、それとは流量調整機構を異にしている。
【００３９】
即ち、この場合はユニット本体１００の後段減圧部（減圧弁２１）に接する内端面に、所定径のオリフィスを１つ形成した固定オリフィス１０１が埋設される。ピストン２５のガス通路２６から送られてくるガスは、この固定オリフィス１０１を経ることにより計量され、所定量が固定オリフィス１０１に連通するガス通路１０２を通ってノズル継手４６に送られる。１０３はガス通路１０２を遮断する開閉栓で、ユニット本体１００の外端面からネジ込まれたハンドル１０４を回すことにより操作する。
【００４０】
１０５は前段減圧部のキャップである減圧弁取付ナットで、ピストン押え８５を押さえ付けた状態で弁箱７にネジ付けられる。この場合の減圧弁取付ナット１０５の外端面には締め付け用の六角穴１０６を設けてあり、その内側に締め付けに際してピストン押え８５を保護するための減圧弁取付シ−ト１０７が配備されている。
【００４１】
【発明の効果】
本発明は上述した通りであるので、ハンドル操作が単純で慣れない者であっても間違いなく操作することができ、ガス充填専用ポ−トがあるためガス充填の際のハンドル操作が不要であり、軽量且つ安全な構造で、今後も増加し続けると考えられる在宅酸素療法患者にとって負担が少なく、好適な医療用バルブ装置を提供し得る効果がある。
【図面の簡単な説明】
【図１】  本発明の一実施形態の正面図である。
【図２】  本発明の一実施形態の横断面図である。
【図３】  本発明の一実施形態の一部断面側面図である。
【図４】  本発明の一実施形態における流量調整ユニットの減圧弁を示す縦断面図である。
【図５】  本発明の一実施形態における流量調整ユニットを示す縦断面図である。
【図６】  本発明の一実施形態における流量調整ユニットの流量調整板の正面図である。
【図７】  本発明の他の実施形態の横断面図である。
【図８】  本発明の更に他の実施形態の横断面図である。
【図９】  図８のゼロストッパ−機構部の部分における縦断面図である。
【図１０】  本発明の更に他の実施形態の横断面図である。
【符号の説明】
１  バルブ本体
２  流量調整ユニット
３  充填専用ポ−ト
４  ガス残量計
８  ハンドル
20  ガス供出室
21  減圧弁
22  ユニット本体
23  ハウジング
24  シリンダ−部
25  ピストン
26  ガス通路
33  ガス通路
34  フィルタ−
41  ハンドル
42  スピンドル
43  流量調整板
44  計量孔
45  ガス通路
46  ノズル継手
56  充填口
57  逆止弁本体
58  弁体
60  供給路
70  ハウジング
71  ガス供出室
75  ガス流入室
77  シリンダ−室
78  ピストン
79  ガス通路
87  閉栓ピ−ス
92  ボ−ル
93  座ぐり
101 固定オリフィス
【図１】
0003676514.tif 000002
【図２】
0003676514.tif 000003
【図３】
0003676514.tif 000004
【図４】
0003676514.tif 000005
【図５】
0003676514.tif 000006
【図６】
0003676514.tif 000007
【図７】
0003676514.tif 000008
【図８】
0003676514.tif 000009
【図９】
0003676514.tif 000010
【図１０】
0003676514.tif 000011